(57)【特許請求の範囲】
【請求項１】
長尺体と、
前記長尺体を巻き取る巻き取り装置と、
つり合いおもりの下部に前記巻き取り装置を固定するための第１固定手段と、
前記長尺体の先端部に設けられ、昇降路の固定体に前記長尺体の先端部を固定するための第２固定手段と、
前記巻き取り装置が前記長尺体を巻き取ることによって発電する発電装置と、
前記巻き取り装置に設けられ、前記発電装置が発電することによって発光する発光装置と、
を備え、
前記発光装置は、前記長尺体が前記巻き取り装置から引き出される方向に向けて光を発するエレベータの安全装置。
【請求項２】
前記第１固定手段は、前記つり合いおもりの下部に固定され、前記巻き取り装置が着脱可能に取り付けられる取付装置を備えた請求項１に記載のエレベータの安全装置。
【請求項３】
前記取付装置に前記巻き取り装置が取り付けられていることを検知する検知手段を更に備えた請求項２に記載のエレベータの安全装置。
【請求項４】
前記第１固定手段は、前記巻き取り装置に設けられ、前記つり合いおもりに吸着するための磁石を備えた請求項１に記載のエレベータの安全装置。
【請求項５】
請求項３に記載の前記安全装置と、
エレベータの自動運転及び保守運転を制御する制御装置と、
を備え、
前記制御装置は、前記取付装置に前記巻き取り装置が取り付けられていることが前記検知手段によって検知されている間は自動運転を行わないエレベータ装置。
【請求項６】
安全装置と、
エレベータの自動運転及び保守運転を制御する制御装置と、
第１信号線を介して前記制御装置に検知信号を送信する地震検知器と、
を備え、
前記安全装置は、
長尺体と、
前記長尺体を巻き取る巻き取り装置と、
昇降路の固定体に固定され、前記巻き取り装置が着脱可能に取り付けられる取付装置と、
第２信号線によって前記地震検知器に接続され、前記取付装置に前記巻き取り装置が取り付けられていることを検知する検知手段と、
前記長尺体の先端部に設けられ、つり合いおもりに前記長尺体の先端部を固定するための第２固定手段と、
を備え、
前記検知手段からの検知信号は、前記第２信号線及び前記第１信号線を介して前記制御装置に入力されるエレベータ装置。
【請求項７】
前記制御装置は、前記取付装置に前記巻き取り装置が取り付けられていることが前記検知手段によって検知されている間は自動運転を行わない請求項６に記載のエレベータ装置。
【請求項８】
前記地震検知器は、前記昇降路のピットに設けられた請求項６又は請求項７に記載のエレベータ装置。
【発明の詳細な説明】
【技術分野】
【０００１】
この発明は、エレベータの安全装置と安全装置を備えたエレベータ装置とに関する。
【背景技術】
【０００２】
エレベータの保守員は、かごの上に乗って保守のための作業を行う。
特許文献１に、つり合いおもりの接近をかご上の保守員に知らせるための装置が記載されている。特許文献１に記載された装置では、つり合いおもりが接近するとかごの上に設けられたブザーを鳴らす。特許文献１には、つり合いおもりが接近するとかごの上に設けられたランプを点灯させることも記載されている。
【先行技術文献】
【特許文献】
【０００３】
【特許文献１】特開平７−２３７８３９号公報
【発明の概要】
【発明が解決しようとする課題】
【０００４】
特許文献１に記載された装置では、かごの上に設けられた報知装置からつり合いおもりの接近を報知する。保守員は、この報知によってつり合いおもりが接近していることを知ることができるが、つり合いおもりが通過する位置或いはその位置の近くに自分がいるのかを知ることはできない。例えば、エレベータに故障が発生した場合、保守員は定期的な保守作業では行わないような作業を行う必要がある。このような場合は、つり合いおもりが通過する位置或いはその位置の近くに自分がいることを保守員が知ることは極めて重要である。
【０００５】
この発明は、上述のような課題を解決するためになされた。この発明の目的は、つり合いおもりが通過する位置或いはその位置の近くにいることを保守員が容易に把握することができるエレベータの安全装置を提供することである。
また、そのような安全装置を備えたエレベータ装置を提供することである。
【課題を解決するための手段】
【０００６】
この発明に係るエレベータの安全装置は、長尺体と、長尺体を巻き取る巻き取り装置と、つり合いおもりの下部に巻き取り装置を固定するための第１固定手段と、長尺体の先端部に設けられ、昇降路の固定体に長尺体の先端部を固定するための第２固定手段と、巻き取り装置が長尺体を巻き取ることによって発電する発電装置と、巻き取り装置に設けられ、発電装置が発電することによって発光する発光装置と、を備える。発光装置は、長尺体が巻き取り装置から引き出される方向に向けて光を発する。
【０００７】
この発明に係るエレベータ装置は、安全装置と、エレベータの自動運転及び保守運転を制御する制御装置と、を備える。安全装置は、長尺体と、長尺体を巻き取る巻き取り装置と、つり合いおもりの下部に巻き取り装置を固定するための第１固定手段と、長尺体の先端部に設けられ、昇降路の固定体に長尺体の先端部を固定するための第２固定手段と、巻き取り装置が長尺体を巻き取ることによって発電する発電装置と、巻き取り装置に設けられ、発電装置が発電することによって発光する発光装置と、取付装置に巻き取り装置が取り付けられていることを検知する検知手段と、を備える。発光装置は、長尺体が巻き取り装置から引き出される方向に向けて光を発する。第１固定手段は、つり合いおもりの下部に固定され、巻き取り装置が着脱可能に取り付けられる取付装置を備える。制御装置は、取付装置に巻き取り装置が取り付けられていることが検知手段によって検知されている間は自動運転を行わない。
この発明に係るエレベータ装置は、安全装置と、エレベータの自動運転及び保守運転を制御する制御装置と、第１信号線を介して制御装置に検知信号を送信する地震検知器と、を備える。安全装置は、長尺体と、長尺体を巻き取る巻き取り装置と、昇降路の固定体に固定され、巻き取り装置が着脱可能に取り付けられる取付装置と、第２信号線によって地震検知器に接続され、取付装置に巻き取り装置が取り付けられていることを検知する検知手段と、長尺体の先端部に設けられ、つり合いおもりに長尺体の先端部を固定するための第２固定手段と、を備える。検知手段からの検知信号は、第２信号線及び第１信号線を介して制御装置に入力される。
【発明の効果】
【０００８】
この発明によれば、エレベータの保守員は、つり合いおもりが通過する位置或いはその位置の近くにいることを容易に把握することができる。
【図面の簡単な説明】
【０００９】
【図１】エレベータの全体構成を示す図である。
【図２】この発明の実施の形態１におけるエレベータの安全装置を示す斜視図である。
【図３】安全装置の長尺体と巻き取り装置とを示す図である。
【図４】安全装置の取付状態を示す図である。
【図５】安全装置の他の例を示す図である。
【図６】安全装置の他の例を示す図である。
【図７】安全装置の他の例を示す図である。
【図８】この発明の実施の形態２におけるエレベータの安全装置を示す図である。
【図９】安全装置の他の例を示す図である。
【発明を実施するための形態】
【００１０】
添付の図面を参照し、本発明を説明する。重複する説明は、適宜簡略化或いは省略する。各図において、同一の符号は同一の部分又は相当する部分を示す。
【００１１】
実施の形態１．
図１は、エレベータの全体構成を示す図である。
エレベータのかご１は、主ロープ２によって昇降路３に吊り下げられる。つり合いおもり４は、主ロープ２によって昇降路３に吊り下げられる。図１は、１：１ローピング方式のエレベータを一例として示している。主ロープ２の一端はかご１に接続される。主ロープ２の他端は、つり合いおもり４に接続される。なお、ローピングの方式はこれに限定されない。
【００１２】
昇降路３の上方に、機械室５が設けられる。機械室５に、エレベータの制御装置６、巻上機及びそらせ車７が設けられる。機械室５が備えられていないエレベータでは、制御装置６及び巻上機は、例えば昇降路３に設けられる。主ロープ２は、巻上機の駆動綱車８及びそらせ車７に巻き掛けられる。駆動綱車８が回転すると、主ロープ２は駆動綱車８の回転方向に応じた方向に移動する。これにより、かご１は、昇降路３を上昇及び下降する。つり合いおもり４は、かご１が移動する方向とは逆の方向に昇降路３を上昇及び下降する。
【００１３】
かご１と制御装置６とは、制御ケーブル９によって接続される。かご１及び制御装置６間の信号の送受信は、制御ケーブル９を介して行われる。制御装置６は、エレベータの自動運転と保守運転とを制御する。自動運転は、エレベータの利用者を目的階まで運ぶための運転である。自動運転では、制御装置６は、例えば登録された呼びにかご１を順次応答させる。保守運転は、エレベータの保守員が保守を行うための運転である。保守運転では、制御装置６は、定格速度より遅い速度でかご１を走行させる。昇降路３のピットに、地震検知器１０が設けられる。地震検知器１０と制御装置６とは、信号線１１によって接続される。地震検知器１０は、信号線１１を介して制御装置６に検知信号を送信する。
【００１４】
昇降路３のピットに、緩衝器台１２が設けられる。緩衝器台１２に、つり合いおもり４のための緩衝器１３が設けられる。緩衝器１３及び緩衝器台１２は、つり合いおもり４の直下に配置される。つり合いおもり４は、通常の昇降域を超えて下降すると緩衝器１３に接触する。昇降路３のピットにはかご１のための緩衝器も設けられる。図１では、この緩衝器の図示を省略している。
【００１５】
次に、エレベータの保守員のための安全装置１４について説明する。
保守員は、定期的にエレベータの保守作業を行う。保守員は、定期的な保守作業の他にも、エレベータに故障が発生した時等に必要に応じて保守作業を行う。保守員は、保守作業を行う際に安全装置１４を使用する。
【００１６】
図２はこの発明の実施の形態１におけるエレベータの安全装置を示す斜視図である。
安全装置１４は、長尺体１５、巻き取り装置１６、フック１７、取付装置１８及び検知装置１９を備える。
【００１７】
長尺体１５は、紐、ロープ、テープ或いはチェーン等からなる。長尺体１５は細長く一定の強度を有していれば、その断面形状及び素材に制限はない。
【００１８】
長尺体１５は、巻き取り装置１６に巻き取られる。図３は、安全装置１４の長尺体１５と巻き取り装置１６とを示す図である。巻き取り装置１６は、例えば、筐体２０、軸２１及びばね２２を備える。長尺体１５は、筐体２０の内部で軸２１に巻き取られる。ばね２２は、軸２１に対して常に一定の回転方向に力を加える。このため、長尺体１５を筐体２０から引き出した後に長尺体１５から手を離すと、長尺体１５はばね２２の力によって回転する軸２１に巻き取られ、筐体２０の内部に収容される。
【００１９】
フック１７は、長尺体１５の先端部に設けられる。フック１７は、長尺体１５の先端部をつり合いおもり４の下部に固定するための金具である。
【００２０】
取付装置１８は、巻き取り装置１６を取り付けるための装置である。巻き取り装置１６は、取付装置１８に着脱可能に取り付けられる。取付装置１８は、例えば、緩衝器台１２の上面に固定される。取付装置１８は、例えば、箱状を呈する。取付装置１８に、巻き取り装置１６を側方から出し入れするための開口１８ａが形成される。取付装置１８の上面に、長尺体１５の移動を阻害しないための切り欠き１８ｂが形成される。
【００２１】
検知装置１９は、取付装置１８に巻き取り装置１６が取り付けられていることを検知する。検知装置１９の検知信号は、制御装置６に取り込まれる。例えば、検知装置１９と地震検知器１０との間に信号線２３が接続される。検知装置１９からの検知信号は、信号線２３と信号線１１とを介して制御装置６に入力される。
【００２２】
検知装置１９として、マイクロスイッチが取付装置１８に設けられる。巻き取り装置１６が取付装置１８に取り付けられると、マイクロスイッチがＯＮになる。巻き取り装置１６が取付装置１８から取り外されると、マイクロスイッチがＯＦＦになる。
【００２３】
取付装置１８に巻き取り装置１６が取り付けられていることを検知する手段は、マイクロスイッチに限定されない。検知装置１９として、例えば、近接スイッチを取付装置１８に設けても良い。検知装置１９にＩＣタグを用いても良い。かかる場合、ＩＣタグが巻き取り装置１６に設けられる。また、ＩＣタグのリーダが取付装置１８に設けられる。
【００２４】
図４は、安全装置１４の取付状態を示す図である。図４は、図１においてＡ方向から見た図に相当する。つり合いおもり４の昇降は、一対のガイドレール２４に案内される。一方のガイドレール２４の下端部は、緩衝器台１２の一端部に固定される。他方のガイドレール２４の下端部は、緩衝器台１２の他端部に固定される。図４は、２つの安全装置１４が取り付けられた状態を一例として示している。保守作業時に使用する安全装置１４の個数はこれに限定されない。安全装置１４を一つだけ使用して保守作業を行っても良い。
【００２５】
保守員は、例えば、長尺体１５、巻き取り装置１６及びフック１７が一体になったものを携帯し、エレベータの現場に赴く。取付装置１８は、緩衝器台１２に予め設けられる。検知装置１９は、取付装置１８に予め設けられる。検知装置１９と地震検知器１０とは予め信号線２３で接続される。
【００２６】
保守員は、先ず、巻き取り装置１６を取付装置１８に取り付ける。これにより、巻き取り装置１６が緩衝器台１２に固定される。また、巻き取り装置１６が取付装置１８に取り付けられていることが検知装置１９によって検知される。
【００２７】
次に、保守員は、フック１７を持って長尺体１５を巻き取り装置１６から引き出す。つり合いおもり４の下部に、フック１７を取り付けるための受け金２５が予め設けられる。保守員は、フック１７を受け金２５に掛け、長尺体１５の先端部をつり合いおもり４の下部に固定する。これにより、つり合いおもり４が上昇すると、長尺体１５が巻き取り装置１６から繰り出される。つり合いおもり４が下降すると、長尺体１５が巻き取り装置１６に巻き取られる。つり合いおもり４の位置（高さ）に関わらず、つり合いおもり４と緩衝器台１２との間に長尺体１５が常に張られた状態になる。
【００２８】
保守員は、かご１の上に乗って保守作業を行う。かご１がつり合いおもり４より低い位置にある場合、保守員が下方或いは斜め下方を見ていると、つり合いおもり４が保守員の視界に入らない。しかし、安全装置１４が取り付けられていれば、つり合いおもり４と緩衝器台１２との間に常に長尺体１５が存在する。保守員は、つり合いおもり４が通過する位置をかご１の上で容易に把握することができる。また、保守員は、長尺体１５が近くに存在すれば、つり合いおもり４が通過する位置の近くに自分がいることを容易に把握することができる。
【００２９】
安全装置１４が検知装置１９を備えていなくても、上記効果を奏することができる。但し、安全装置１４が検知装置１９を備えていれば、検知装置１９の検知結果をエレベータの制御に反映させることができる。例えば、制御装置６は、取付装置１８に巻き取り装置１６が取り付けられていることが検知装置１９によって検知されている間は自動運転を行わない。これにより、保守作業時に自動運転が行われることを防止できる。また、巻き取り装置１６を取付装置１８から取り外さなければ、自動運転を再開することができない。したがって、保守作業が終了した後の巻き取り装置１６の取り忘れを防止できる。
【００３０】
制御装置６には、一般に自動運転と保守運転とを切り替えるためのスイッチが設けられる。検知装置１９からの信号をこのスイッチと連動させれば、上記機能を容易に実現できる。また、地震検知器１０と制御装置６との間に接続されている信号線１１を利用すれば、検知装置１９から制御装置６に検知信号を取り込むために昇降路３のピットから機械室５まで新たな信号線を敷設する必要がない。既設エレベータへの適用が容易であり、改修に要する工期及び費用を低減させることができる。
【００３１】
図５から図７は、安全装置１４の他の例を示す図である。
図５に示す例では、長尺体１５の周囲に目立つ色のテープ２６が巻き付けられる。テープ２６は、長尺体１５の先端部が近いことを示すためのものである。即ち、テープ２６は、長尺体１５のうち先端部に近い予め定められた部分にのみ巻き付けられる。
【００３２】
長尺体１５にテープ２６が備えられていれば、保守員は、つり合いおもり４が通過する位置だけでなく、つり合いおもり４が接近していることをかご１の上で容易に把握することができる。上述したように、かご１がつり合いおもり４より低い位置にある時に保守員が下方或いは斜め下方を見ていると、つり合いおもり４が保守員の視界に入らない。保守員は、テープ２６が視界に入ることによってつり合いおもり４が接近していることを容易に知ることができる。
【００３３】
テープ２６は、保守員に対して注意を喚起する手段の一例として示したものである。つり合いおもり４の接近を保守員に対して喚起するための手段は、これに限定されない。例えば、長尺体１５の同じ部分に目立つ色の着色を施しても、同様の効果を奏することができる。
【００３４】
図６は、保守員に対して注意を喚起する手段の他の例を示す。図６に示す例では、長尺体１５の周囲に、先端部に近づくに従って（段階的に）色が濃くなるグラデーション２７が施される。長尺体１５の周囲に、先端部に近づくに従って（段階的に）目立つ色になるグラデーション２７を施しても良い。グラデーション２７もテープ２６と同様に、長尺体１５の先端部が近いことを示すためのものである。グラデーション２７は、長尺体１５のうち先端部に近い予め定められた部分にのみ施される。保守員は、グラデーション２７によってつり合いおもり４の接近度合いを知ることができる。
【００３５】
図７は、保守員に対して注意を喚起する手段の他の例を示す。図７に示す例では、長尺体１５に横に広がる羽２８が設けられる。羽２８は、例えば、薄く軽い素材からなる。羽２８は、長尺体１５のうち先端部に近い予め定められた部分にのみ設けられる。保守員は、羽２８が接触することによってつり合いおもり４が接近していることを知ることができる。
【００３６】
実施の形態２.
図８は、この発明の実施の形態２におけるエレベータの安全装置を示す図である。
本実施の形態における安全装置１４は、巻き取り装置１６を緩衝器台１２に固定する方法が実施の形態１で開示した方法と相違する。また、本実施の形態における安全装置１４は、長尺体１５の先端部をつり合いおもり４に固定する方法が実施の形態１で開示した方法と相違する。その他の構成は、実施の形態１で開示した構成と同じである。
【００３７】
本実施の形態における安全装置１４は、長尺体１５、巻き取り装置１６、磁石２９及び磁石３０を備える。長尺体１５に関しては、図５から図７に示す構成を採用しても良い。
【００３８】
磁石２９は、長尺体１５の先端部に設けられる。磁石２９は、長尺体１５の先端部をつり合いおもり４の下部に固定するためのものである。磁石３０は、緩衝器台１２に巻き取り装置１６を固定するためのものである。磁石３０は、巻き取り装置１６の下部に設けられる。
【００３９】
保守員はエレベータの現場に到着すると、先ず、磁石３０を緩衝器台１２に吸着させる。これにより、巻き取り装置１６が緩衝器台１２に固定される。緩衝器台１２には磁石３０が吸着する素材が使用される。このため、巻き取り装置１６を固定するための特別な装置を緩衝器台１２に設置する必要はない。保守員は、例えば、緩衝器台１２の平坦な上面に磁石３０を吸着させる。
【００４０】
次に、保守員は、磁石２９を持って長尺体１５を巻き取り装置１６から引き出す。保守員は、磁石２９をつり合いおもり４の下部に吸着させ、長尺体１５の先端部をつり合いおもり４に固定する。つり合いおもり４には磁石３０が吸着する素材が使用される。このため、長尺体１５の先端部を固定するための特別な装置をつり合いおもり４に設置する必要はない。保守員は、例えば、つり合いおもり４の平坦な下面に磁石２９を吸着させる。これにより、つり合いおもり４が上昇すると、長尺体１５が巻き取り装置１６から繰り出される。つり合いおもり４が下降すると、長尺体１５が巻き取り装置１６に巻き取られる。つり合いおもり４の位置（高さ）に関わらず、つり合いおもり４と緩衝器台１２との間に長尺体１５が常に張られた状態になる。
【００４１】
上記構成を有する安全装置１４であれば、緩衝器台１２及びつり合いおもり４への取り付けを簡単に行うことができる。かご１の昇降工程が短い現場であれば、磁石２９及び３０によって巻き取り装置１６の固定に必要な力及び長尺体１５の先端部の固定に必要な力を十分に得ることができる。また、緩衝器台１２及びつり合いおもり４に安全装置１４を固定するための特別な装置を設置しておく必要がない。このため、既設のエレベータへの適用が容易である。
【００４２】
実施の形態１及び２では、巻き取り装置１６を緩衝器台１２に固定する場合について説明した。これは一例である。巻き取り装置１６を固定する位置は緩衝器台１２に制限されない。巻き取り装置１６を昇降路３のピットの他の固定体に固定しても良い。但し、巻き取り装置１６を緩衝器台１２に固定した場合は、長尺体１５をガイドレール２４の間でつり合いおもり４の直下に張ることができる。
【００４３】
巻き取り装置１６の固定方法は、実施の形態１及び２で開示した方法に限定されない。例えば、取付板（図示せず）を用いて巻き取り装置１６を昇降路３のピットの固定体に固定しても良い。同様に、長尺体１５の先端部をつり合いおもり４の下部に固定する方法も実施の形態１及び２に開示された方法に限定されない。例えば、取付板（図示せず）を用いて長尺体１５の先端部をつり合いおもり４に固定しても良い。
【００４４】
実施の形態１及び２では、巻き取り装置１６を緩衝器台１２に固定し、長尺体１５の先端部をつり合いおもり４に固定する場合について説明した。これは一例である。巻き取り装置１６をつり合いおもり４に固定し、長尺体１５の先端部を緩衝器台１２（昇降路３のピットの固定体）に固定しても良い。
【００４５】
例えば、磁石３０をつり合いおもり４の下部に吸着させ、巻き取り装置１６をつり合いおもり４に固定する。磁石２９を緩衝器台１２に吸着させ、長尺体１５の先端部を緩衝器台１２に固定する。安全装置１４が実施の形態１で開示した構成を有する場合は、つり合いおもり４の下部に取付装置１８を予め設けておく。更に、緩衝器台１２に受け金２５を予め設けておく。巻き取り装置１６を取付装置１８に取り付け、フック１７を受け金２５に掛ければ良い。
【００４６】
図９は、安全装置１４の他の例を示す図である。図９は、巻き取り装置１６をつり合いおもり４に固定する場合に好適な例を示している。図９に示す安全装置１４は、図８に示す長尺体１５、巻き取り装置１６、磁石２９及び磁石３０に加え、発電装置３１と発光装置３２とを更に備える。
【００４７】
発電装置３１は、例えば、巻き取り装置１６に設けられる。発電装置３１は、巻き取り装置１６が長尺体１５を巻き取ることによって発電する。
【００４８】
発光装置３２は、例えば、巻き取り装置１６に設けられる。発光装置３２は、発電装置３１が発電することによって発光する。発光装置３２は、長尺体１５が巻き取り装置１６から引き出される方向に向けて光を発する。このため、巻き取り装置１６がつり合いおもり４の下部に固定されると、発光装置３２は下方に向けて光を発する。かご１の上で保守作業を行っている保守員に対し、発光装置３２からの光によってつり合いおもり４の接近を知らせることができる。
【００４９】
発電装置３１と発光装置３２とを実施の形態１で開示した安全装置１４に適用しても良い。かかる場合、発電装置３１と発光装置３２とを取付装置１８に設けても良い。
【００５０】
発電装置３１の代わりに電池を用いても良い。また、発光装置３２の代わりにブザー等を用いても良い。発光装置３２の代わりにブザーを用いた場合は、かご１の上で保守作業を行っている保守員に対し、ブザーからの音によってつり合いおもり４の接近を知らせることができる。
【００５１】
実施の形態１及び２で開示した安全装置１４を用いて、つり合いおもり４の上方に長尺体１５を張ることも可能である。例えば、昇降路３の頂部の固定体に巻き取り装置１６を固定する。つり合いおもり４の上部に長尺体１５の先端部を固定する。また、昇降路３の頂部の固定体に長尺体１５の先端部を固定し、つり合いおもり４の上部に巻き取り装置１６を固定しても良い。巻き取り装置１６の固定方法及び長尺体１５の先端部の固定方法は、実施の形態１及び２で開示した何れの方法を採用しても良い。
【符号の説明】
【００５２】
１  かご、  ２  主ロープ、  ３  昇降路、  ４  つり合いおもり、  ５  機械室、  ６  制御装置、  ７  そらせ車、  ８  駆動綱車、  ９  制御ケーブル、  １０  地震検知器、  １１  信号線、  １２  緩衝器台、  １３  緩衝器、  １４  安全装置、  １５  長尺体、  １６  巻き取り装置、  １７  フック、  １８  取付装置、  １８ａ  開口、  １８ｂ  切り欠き、  １９  検知装置、  ２０  筐体、  ２１  軸、  ２２  ばね、  ２３  信号線、  ２４  ガイドレール、  ２５  受け金、  ２６  テープ、  ２７  グラデーション、  ２８  羽、  ２９  磁石、  ３０  磁石、  ３１  発電装置、  ３２  発光装置
【図１】
0006036763.tif 000002
【図２】
0006036763.tif 000003
【図３】
0006036763.tif 000004
【図４】
0006036763.tif 000005
【図５】
0006036763.tif 000006
【図６】
0006036763.tif 000007
【図７】
0006036763.tif 000008
【図８】
0006036763.tif 000009
【図９】
0006036763.tif 000010